【手続補正書】
【提出日】平成17年12月26日(2005.12.26)
【手続補正１】
【補正対象書類名】明細書
【補正対象項目名】特許請求の範囲
【補正方法】変更
【補正の内容】
【特許請求の範囲】
【請求項１】  映像入力信号に対して疑似中間調処理を行う信号処理回路と、該信号処理回路から出力される映像出力信号に基づいて画像を表示する表示部とを備えてなる画像表示装置に用いられ、前記映像入力信号に対して疑似中間調パターンデータを用いて前記疑似中間調処理を行う信号処理方法であって、
前記映像入力信号から時間的に連続する画像の前フレーム画像と現フレーム画像との間の動きを検出し、該動きに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行うことを特徴とする信号処理方法。
【請求項２】  映像入力信号に対して疑似中間調処理を行う信号処理回路と、該信号処理回路から出力される映像出力信号に基づいて画像を表示する表示部とを備えてなる画像表示装置に用いられ、前記映像入力信号に対して疑似中間調パターンデータを用いて前記疑似中間調処理を行う信号処理方法であって、
前記映像入力信号から時間的に連続する画像の前フレーム画像と現フレーム画像との間の動きベクトルを検出し、該動きベクトルに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行うことを特徴とする信号処理方法。
【請求項３】  前記映像入力信号をフレーム毎に記憶する記憶処理と、
前記映像入力信号に基づく現フレーム画像と前記記憶されている前フレーム画像とを画素毎に階調値を比較してフレーム間画素情報を生成するフレーム間画素情報生成処理と、
前記フレーム間画素情報に基づいて前記現フレーム画像の前フレーム画像に対する移動方向及び移動量を求めて一つ又は複数の前記動きベクトルを検出する動きベクトル検出処理と、
前記動きベクトルに基づいて前記現フレーム画像中の一つ又は複数の動画像領域及び静止画像領域を検出する動画像領域／静止画像領域検出処理と、
前記動きベクトル及び動画像領域に基づいて最適な前記疑似中間調パターンデータを生成すると共に、前記静止画像領域に対応する前記疑似中間調パターンデータを生成する疑似中間調パターンデータ生成処理と、
生成された前記各疑似中間調パターンデータを当該の前記動画像領域及び静止画像領域に割り付けて１画面分の疑似中間調パターンデータを生成する１画面データ生成処理と、
前記１画面分の疑似中間調パターンデータを用いて前記映像入力信号に対して前記疑似中間調処理を行って前記映像出力信号を出力する演算処理とを行うことを特徴とする請求項１又は２に記載の信号処理方法。
【請求項４】  前記疑似中間調パターンデータ生成処理では、
前記動画像領域に対して前記静止画像領域よりも高解像度の疑似中間調処理を行うための前記疑似中間調パターンデータを生成することを特徴とする請求項３記載の信号処理方法。
【請求項５】  前記疑似中間調パターンデータ生成処理では、
前記動画像領域に対して前記静止画像領域よりも階調数の少ない疑似中間調処理を行うための疑似中間調パターンデータを生成することを特徴とする請求項３記載の信号処理方法。
【請求項６】  前記疑似中間調パターンデータ生成処理では、
与えられたフレーム巡回数に対応したフレーム数毎に前記疑似中間調パターンデータを切り換えて生成し、
前記動画像領域検出処理の後、前記動きベクトル及び動画像領域に基づいて前記フレーム巡回数を生成するフレーム巡回数生成処理を行うことを特徴とする請求項３乃至５の何れか一に記載の信号処理方法。
【請求項７】  前記フレーム巡回数生成処理では、
前記静止画像領域に対するフレーム巡回数を前記動画像領域に対するフレーム巡回数よりも大きくすることを特徴とする請求項６記載の信号処理方法。
【請求項８】  前記疑似中間調パターンデータは、ディザパターンデータであることを特徴とする請求項１乃至７の何れか一に記載の信号処理方法。
【請求項９】  請求項１乃至８のいずれか一に記載の信号処理方法により映像入力信号を処理して生成された映像出力信号に基づいて画像を表示することを特徴とする画像表示方法。
【請求項１０】  映像入力信号に対して疑似中間調パターンデータを用いて疑似中間調処理を行う信号処理回路と、
該信号処理回路から出力される映像出力信号に基づいて画像を表示する表示部とを備えてなる画像表示装置であって、
前記信号処理回路は、
前記映像入力信号から時間的に連続する画像の前フレーム画像と現フレーム画像との間の動きを検出し、該動きに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行う構成とされていることを特徴とする画像表示装置。
【請求項１１】  映像入力信号に対して疑似中間調パターンデータを用いて疑似中間調処理を行う信号処理回路と、
該信号処理回路から出力される映像出力信号に基づいて画像を表示する表示部とを備えてなる画像表示装置であって、
前記信号処理回路は、
前記映像入力信号から時間的に連続する画像の前フレーム画像と現フレーム画像との間の動きベクトルを検出し、該動きベクトルに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行う構成とされていることを特徴とする画像表示装置。
【請求項１２】  前記信号処理回路は、
前記映像入力信号をフレーム毎に記憶する記憶部と、
前記映像入力信号に基づく現フレーム画像と前記記憶部に記憶されている前フレーム画像とを画素毎に階調値を比較してフレーム間画素情報を生成する画素比較部と、
前記フレーム間画素情報に基づいて前記現フレーム画像の前フレーム画像に対する移動方向及び移動量を求めて一つ又は複数の前記動きベクトルを検出する動きベクトル検出部と、
前記動きベクトルに基づいて前記現フレーム画像中の一つ又は複数の動画像領域及び静止画像領域を検出する動画像領域／静止画像領域検出部と、
前記動きベクトル及び動画像領域に基づいて最適な前記疑似中間調パターンデータを生成すると共に、前記静止画像領域に対応する前記疑似中間調パターンデータを生成する疑似中間調パターンデータ生成部と、
生成された前記各疑似中間調パターンデータを当該の前記動画像領域及び静止画像領域に割り付けて１画面分の疑似中間調パターンデータを生成する１画面データ生成部と、
前記１画面分の疑似中間調パターンデータを用いて前記映像入力信号に対して前記疑似中間調処理を行って前記映像出力信号を出力する演算処理部とを備えてなることを特徴とする請求項１０又は１１に記載の画像表示装置。
【請求項１３】  前記疑似中間調パターンデータ生成部は、
前記動画像領域に対して前記静止画像領域よりも高解像度の疑似中間調処理を行うための前記疑似中間調パターンデータを生成する構成とされていることを特徴とする請求項１２に記載の画像表示装置。
【請求項１４】  前記疑似中間調パターンデータ生成部は、
前記動画像領域に対して前記静止画像領域よりも階調数の少ない疑似中間調処理を行うための疑似中間調パターンデータを生成する構成とされていることを特徴とする請求項１２に記載の画像表示装置。
【請求項１５】  前記疑似中間調パターンデータ生成部は、
与えられたフレーム巡回数に対応したフレーム数毎に前記疑似中間調パターンデータを切り換えて生成する構成とされ、
前記動きベクトル及び動画像領域に基づいて前記フレーム巡回数を生成して前記疑似中間調パターンデータ生成部に与えるフレーム巡回数生成部が設けられていることを特徴とする請求項１２乃至１４の何れか一に記載の画像表示装置。
【請求項１６】  前記フレーム巡回数生成部は、
前記静止画像領域に対するフレーム巡回数を前記動画像領域に対するフレーム巡回数よりも大きくする構成とされていることを特徴とする請求項１５記載の画像表示装置。
【請求項１７】  前記疑似中間調パターンデータは、ディザパターンデータ
であることを特徴とする請求項１０乃至１６の何れか一に記載の画像表示装置。
【手続補正２】
【補正対象書類名】明細書
【補正対象項目名】００１４
【補正方法】変更
【補正の内容】
【００１４】
【課題を解決するための手段】
上記課題を解決するため、請求項１記載の発明は、映像入力信号に対して疑似中間調処理を行う信号処理回路と、該信号処理回路から出力される映像出力信号に基づいて画像を表示する表示部とを備えてなる画像表示装置に用いられ、前記映像入力信号に対して疑似中間調パターンデータを用いて前記疑似中間調処理を行う信号処理方法に係り、前記映像入力信号から時間的に連続する画像の前フレーム画像と現フレーム画像との間の動きを検出し、該動きに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行うことを特徴としている。
また、請求項２記載の発明は、映像入力信号に対して疑似中間調処理を行う信号処理回路と、該信号処理回路から出力される映像出力信号に基づいて画像を表示する表示部とを備えてなる画像表示装置に用いられ、前記映像入力信号に対して疑似中間調パターンデータを用いて前記疑似中間調処理を行う信号処理方法に係り、前記映像入力信号から時間的に連続する画像の前フレーム画像と現フレーム画像との間の動きベクトルを検出し、該動きベクトルに基づいて前記現フレーム画像を動画像領域と静止画像領域とに分け、前記動画像領域及び静止画像領域に対してそれぞれ最適の中間調を疑似的に表す前記疑似中間調パターンデータを用いて前記疑似中間調処理を行うことを特徴としている。
【手続補正３】
【補正対象書類名】明細書
【補正対象項目名】００１５
【補正方法】変更
【補正の内容】
【００１５】
請求項３記載の発明は、請求項１又は２記載の信号処理方法に係り、前記映像入力信号をフレーム毎に記憶する記憶処理と、前記映像入力信号に基づく現フレーム画像と前記記憶されている前フレーム画像とを画素毎に階調値を比較してフレーム間画素情報を生成するフレーム間画素情報生成処理と、前記フレーム間画素情報に基づいて前記現フレーム画像の前フレーム画像に対する移動方向及び移動量を求めて一つ又は複数の前記動きベクトルを検出する動きベクトル検出処理と、前記動きベクトルに基づいて前記現フレーム画像中の一つ又は複数の動画像領域及び静止画像領域を検出する動画像領域／静止画像領域検出処理と、前記動きベクトル及び動画像領域に基づいて最適な前記疑似中間調パターンデータを生成すると共に、前記静止画像領域に対応する前記疑似中間調パターンデータを生成する疑似中間調パターンデータ生成処理と、生成された前記各疑似中間調パターンデータを当該の前記動画像領域及び静止画像領域に割り付けて１画面分の疑似中間調パターンデータを生成する１画面データ生成処理と、前記１画面分の疑似中間調パターンデータを用いて前記映像入力信号に対して前記疑似中間調処理を行って前記映像出力信号を出力する演算処理とを行うことを特徴としている。
【手続補正４】
【補正対象書類名】明細書
【補正対象項目名】００１６
【補正方法】変更
【補正の内容】
【００１６】
また、請求項４記載の発明は、請求項３記載の信号処理方法に係り、前記疑似中間調パターンデータ生成処理では、前記動画像領域に対して前記静止画像領域よりも高解像度の疑似中間調処理を行うための前記疑似中間調パターンデータを生成することを特徴としている。
【手続補正５】
【補正対象書類名】明細書
【補正対象項目名】００１７
【補正方法】変更
【補正の内容】
【００１７】
請求項５記載の発明は、請求項３記載の信号処理方法に係り、前記疑似中間調パターンデータ生成処理では、前記動画像領域に対して前記静止画像領域よりも階調数の少ない疑似中間調処理を行うための疑似中間調パターンデータを生成することを特徴としている。
【手続補正６】
【補正対象書類名】明細書
【補正対象項目名】００１８
【補正方法】変更
【補正の内容】
【００１８】
請求項６記載の発明は、請求項３乃至５の何れか一に記載の信号処理方法に係り、前記疑似中間調パターンデータ生成処理では、与えられたフレーム巡回数に対応したフレーム数毎に前記疑似中間調パターンデータを切り換えて生成し、前記動画像領域検出処理の後、前記動きベクトル及び動画像領域に基づいて前記フレーム巡回数を生成するフレーム巡回数生成処理を行うことを特徴としている。
【手続補正７】
【補正対象書類名】明細書
【補正対象項目名】００１９
【補正方法】変更
【補正の内容】
【００１９】
請求項７記載の発明は、請求項６記載の信号処理方法に係り、前記フレーム巡回数生成処理では、前記静止画像領域に対するフレーム巡回数を前記動画像領域に対するフレーム巡回数よりも大きくすることを特徴としている。
【手続補正８】
【補正対象書類名】明細書
【補正対象項目名】００２０
【補正方法】変更
【補正の内容】
【００２０】
請求項８記載の発明は、請求項１乃至７の何れか一に記載の信号処理方法に係り、前記疑似中間調パターンデータは、ディザパターンデータであることを特徴としている。
【手続補正９】
【補正対象書類名】明細書
【補正対象項目名】００２１
【補正方法】変更
【補正の内容】
【００２１】
請求項９記載の発明は、画像表示方法に係り、請求項１乃至８の何れか一に記載の信号処理方法により映像入力信号を処理して生成された映像出力信号に基づいて画像を表示することを特徴としている。
【手続補正１０】
【補正対象書類名】明細書
【補正対象項目名】００２２
【補正方法】変更
【補正の内容】
【００２２】
また、請求項１０記載の発明は、映像入力信号に対して疑似中間調パターンデータを用いて疑似中間調処理を行う信号処理回路と、該信号処理回路から出力される映像出力信号に基づいて画像を表示する表示部とを備えてなる画像表示装置に係り、前記信号処理回路は、前記映像入力信号から時間的に連続する画像の前フレーム画像と現フレーム画像との間の動きを検出し、該動きに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行う構成とされていることを特徴としている。
また、請求項１１記載の発明は、映像入力信号に対して疑似中間調パターンデータを用いて疑似中間調処理を行う信号処理回路と、該信号処理回路から出力される映像出力信号に基づいて画像を表示する表示部とを備えてなる画像表示装置に係り、前記信号処理回路は、前記映像入力信号から時間的に連続する画像の前フレーム画像と現フレーム画像との間の動きベクトルを検出し、該動きベクトルに基づいて前記現フレーム画像を動画像領域と静止画像領域とに分け、前記動画像領域及び静止画像領域に対してそれぞれ最適の中間調を疑似的に表す疑似中間調パターンデータを用いて前記疑似中間調処理を行う構成とされていることを特徴としている。
【手続補正１１】
【補正対象書類名】明細書
【補正対象項目名】００２３
【補正方法】変更
【補正の内容】
【００２３】
請求項１２記載の発明は、請求項１０又は１１記載の画像表示装置に係り、前記信号処理回路は、前記映像入力信号をフレーム毎に記憶する記憶部と、前記映像入力信号に基づく現フレーム画像と前記記憶部に記憶されている前フレーム画像とを画素毎に階調値を比較してフレーム間画素情報を生成する画素比較部と、前記フレーム間画素情報に基づいて前記現フレーム画像の前フレーム画像に対する移動方向及び移動量を求めて一つ又は複数の前記動きベクトルを検出する動きベクトル検出部と、前記動きベクトルに基づいて前記現フレーム画像中の一つ又は複数の動画像領域及び静止画像領域を検出する動画像領域／静止画像領域検出部と、前記動きベクトル及び動画像領域に基づいて最適な前記疑似中間調パターンデータを生成すると共に、前記静止画像領域に対応する前記疑似中間調パターンデータを生成する疑似中間調パターンデータ生成部と、生成された前記各疑似中間調パターンデータを当該の前記動画像領域及び静止画像領域に割り付けて１画面分の疑似中間調パターンデータを生成する１画面データ生成部と、前記１画面分の疑似中間調パターンデータを用いて前記映像入力信号に対して前記疑似中間調処理を行って前記映像出力信号を出力する演算処理部とを備えてなることを特徴としている。
【手続補正１２】
【補正対象書類名】明細書
【補正対象項目名】００２４
【補正方法】変更
【補正の内容】
【００２４】
請求項１３記載の発明は、請求項１２記載の画像表示装置に係り、前記疑似中間調パターンデータ生成部は、前記動画像領域に対して前記静止画像領域よりも高解像度の疑似中間調処理を行うための前記疑似中間調パターンデータを生成する構成とされていることを特徴としている。
【手続補正１３】
【補正対象書類名】明細書
【補正対象項目名】００２５
【補正方法】変更
【補正の内容】
【００２５】
請求項１４記載の発明は、請求項１２記載の画像表示装置に係り、前記疑似中間調パターンデータ生成部は、前記動画像領域に対して前記静止画像領域よりも階調数の少ない疑似中間調処理を行うための疑似中間調パターンデータを生成する構成とされていることを特徴としている。
【手続補正１４】
【補正対象書類名】明細書
【補正対象項目名】００２６
【補正方法】変更
【補正の内容】
【００２６】
請求項１５記載の発明は、請求項１２乃至１４の何れか一に記載の画像表示装置に係り、前記疑似中間調パターンデータ生成部は、与えられたフレーム巡回数に対応したフレーム数毎に前記疑似中間調パターンデータを切り換えて生成する構成とされ、前記動きベクトル及び動画像領域に基づいて前記フレーム巡回数を生成して前記疑似中間調パターンデータ生成部に与えるフレーム巡回数生成部が設けられていることを特徴としている。
【手続補正１５】
【補正対象書類名】明細書
【補正対象項目名】００２７
【補正方法】変更
【補正の内容】
【００２７】
請求項１６記載の発明は、請求項１５記載の画像表示装置に係り、前記フレーム巡回数生成部は、前記静止画像領域に対するフレーム巡回数を前記動画像領域に対するフレーム巡回数よりも大きくする構成とされていることを特徴としている。
【手続補正１６】
【補正対象書類名】明細書
【補正対象項目名】００２８
【補正方法】変更
【補正の内容】
【００２８】
請求項１７記載の発明は、請求項１０乃至１６の何れか一つに記載の画像表示装置に係り、前記疑似中間調パターンデータは、ディザパターンデータであることを特徴としている。